(57)【要約】【課題】装着が簡単にでき、しかも外れ難い結束用留め具を提供する。【解決手段】弾性環状部１１、２１と、この弾性環状部の内側に一体に設けられた弾性クロス部１２、２２とで構成されている。弾性クロス部１２、２２を荷物の一面に沿わせ、荷物の四隅各部で弾性環状部１１、２１の一部１１ａ〜１１ｄ、２１ａ〜２１ｄを荷物の一面から隅部を越えて他面側に伸長させて隅部に係止できるようにされている。【選択図】図１
2008143593.tif 000002
【特許請求の範囲】
【請求項１】
直方体状の物を結束するための留め具であって、
弾性環状部と、この弾性環状部の内側に一体に設けられた弾性クロス部とで構成され、
前記弾性クロス部を前記直方体状の物の一面に沿わせ、前記直方体状の物の四隅各部で前記弾性環状部の一部を前記直方体状の物の一面から隅部を越えて他面側に伸長させて隅部に係止できるようにした
ことを特徴とする結束用留め具。
【請求項２】
前記弾性環状部は、ほぼ楕円形乃至ほぼ円形とした請求項１に記載の結束用留め具。
【請求項３】
前記弾性環状部は、ほぼ菱形乃至ほぼ方形とした請求項１に記載の結束用留め具。
【請求項４】
前記弾性クロス部は、十字形とした請求項１〜３のいずれかに記載の結束用留め具。
【請求項５】
前記弾性クロス部は、十字形とし、中央に窓部が設けられている請求項１〜４のいずれかに記載の結束用留め具。
【請求項６】
前記弾性クロス部は、装飾帯で構成されている請求項１〜５のいずれかに記載の結束用留め具。
【発明の詳細な説明】
【技術分野】
【０００１】
この発明は、雑誌・書籍、箱、板体のような直方体状の物を結束する際に使用される結束用留め具に関し、特に、書店、コンビニエンスストアなどの店舗において、附録雑誌を陳列販売する際に、附録と雑誌とを一体化することに適した結束用留め具に関する。
【背景技術】
【０００２】
従来、書籍、紙箱、板等を結束する際には、結束紐や輪ゴム等の結束用部材が用いられている。輪ゴムは様々の場面で良く使用されており、紙または合成樹脂製の袋の口を封口する際にも用いられている。この袋の口を封口する際の補助具として、輪ゴムを使った締め具なるものが提案されている（特許文献１）。
【０００３】
輪ゴムは、さらに結束ばかりでなく、毛髪を束ねたりする際にも良く使われている。この種の用途では、美容院等での使用を目的とした、パーマネント用輪ゴムが提案されている（特許文献２）。
【０００４】
このパーマネント用輪ゴムは、ゴム線材を環状に構成したリング部と、該リング部内に差し渡されて一体化されたゴム線材からなる差し渡し部とからなる構成のものである。パーマネントをかける際に、毛髪を円筒状のロッドに巻き付けた状態を保持する目的で、前記リング部の対向する端部をロッドの端部に係止させ、リング部内側の差し渡し部で巻き付けた毛髪を押えるようにしている。
【特許文献１】特開平１０−２７８９１３号公報
【特許文献２】特開２００６−６８３３２号公報
【発明の開示】
【発明が解決しようとする課題】
【０００５】
このように、輪ゴムは取扱が簡便であるが故に、各種の分野で用いられ便利なものであったが、結束用として好適なものがないのが現状である。
【０００６】
書店、コンビニエンスストア等では、附録雑誌を陳列販売する際に、附録と雑誌とを一体化するべく紐や、輪ゴムを用いて附録と雑誌とを束ねたり、シュリンク包装によって一体化する等の手段を講じている。
【０００７】
しかし、いずれの手段を用いても見た目がよいとは言えず、またこれらの手段を用いた附録と雑誌の一体化に手間がかかり苦労している。
【０００８】
前述した手段のなかで最も簡単と思われる輪ゴム留めによる一体化においても、輪ゴムが表面を転がるように移動して外れたりする問題があり、外れることを予想して複数の輪ゴムを縦方向及び横方向に十字状にかける束ね方も工夫されているが、結果として前記の問題点は改善されず、附録組み作業は多大な時間を要する店頭現場の悩みの種になっている。
【０００９】
この発明は、このような問題に鑑みてなされたもので、雑誌・書籍、箱、板体のような直方体状の物の結束、特に、附録雑誌における附録と雑誌のように複数のものを一体化して束ねることに適しており、附録雑誌における附録と雑誌のように複数のものを一体化して束ねることや、装着を簡単に行うことができ、簡潔で美しく、しかも外れ難い結束用留め具を提供することを目的としている。
【課題を解決するための手段】
【００１０】
上記の目的のもとになされたこの発明は、直方体状の物を結束するための留め具であって、弾性環状部と、この弾性環状部の内側に一体に設けられた弾性クロス部とで構成され、前記弾性クロス部を前記直方体状の物の一面に沿わせ、前記直方体状の物の四隅各部で前記弾性環状部の一部を前記直方体状の物の一面から隅部を越えて他面側に伸長させて隅部に係止できるようにしたことを特徴とする結束用留め具である。
【００１１】
前記における直方体状の物の結束には、例えば、雑誌・書籍、箱、板体のような直方体状の物を結束したり、附録雑誌における附録と雑誌のように直方体状の複数のものを一体化して結束することや、雑誌・書籍、箱、板体のような直方体状の物の上に薄い紙状の書類やチラシ、パンフレットなどを重ねて結束することなどが含まれる。
【００１２】
前述したように、弾性クロス部を直方体状の物の一面に沿わせ、直方体状の物の四隅各部で弾性環状部の一部を直方体状の物の一面から隅部を越えて他面側に伸長させて隅部に係止できるようにして直方体状の物を結束することにより、三次元方向に生じる張力によって直方体状の物が附録雑誌における附録と雑誌のように複数のものからなっていても、効果的に一体化、結束を行うことができる。
【００１３】
前記弾性環状部は、ほぼ楕円形乃至ほぼ円形としたり、ほぼ菱形乃至ほぼ方形とすることができる。
【００１４】
また、前記弾性クロス部は、十字形とするのが好ましい。このように十字形とした場合、中央に窓部を設けることができる。
【００１５】
弾性クロス部は、断面方形、円形等、様々な断面形状とすることができ、帯状の形状で構成することもできる。この場合、これらの弾性環状部と弾性クロス部の双方、またはいずれか一方を装飾された帯で構成しても良い。
【発明の効果】
【００１６】
この発明の結束用留め具によれば、弾性環状部と、この弾性環状部の内側に一体に設けられた弾性クロス部とで構成され、前記弾性クロス部を直方体状の物の一面に沿わせ、直方体状の物の四隅各部で前記弾性環状部の一部を直方体状の物の一面から隅部を越えて他面側に伸長させて隅部に係止できるように構成されているので、装着は、弾性環状部を直方体状の物の四隅各部に係止するだけで簡単にでき、弾性環状部とその内側に一体に設けられた弾性クロス部によって三次元方向に生じる張力により、しっかりと結束を行うことができる。しかも弾性環状部と弾性クロス部を一体にしたので、装着後の直方体状の物（雑誌・書籍、箱、板体など）の取扱時などに外れるおそれも無くできる。
【００１７】
したがって、雑誌・書籍、箱、板体のような直方体状の物の結束、特に、附録雑誌における附録と雑誌のように複数のものを一体化して束ねることに適しており、附録雑誌における附録と雑誌のように複数のものを一体化して束ねることや、装着を簡単に行うことができ、簡潔で美しく、しかも外れ難い結束用留め具を提供することができる。
【００１８】
また、複数の物を結束する場合であっても、糊やテープなどを使用する必要がなく、雑誌・書籍、箱、板体のような直方体状の物の上に薄い紙状の書類やチラシ、パンフレットなどを重ねて結束する場合にも好適に使用することができる。
【発明を実施するための最良の形態】
【００１９】
以下、この発明の好適な実施の形態を添付の図を参照して説明する。
【００２０】
図１（ａ）、（ｂ）は、本発明の結束用留め具１０、２０を平面図で表すものである。図１（ａ）の結束用留め具１０を説明すると、ほぼ楕円形の弾性環状部１１の内側に十字状とした弾性クロス部１２が一体に設けられている。
【００２１】
弾性環状部１１及び弾性クロス部１２共に各部の断面は円形又は方形である。
【００２２】
弾性クロス部１２の各枝１２ａ、１２ｂ、１２ｃ、１２ｄの先端に連続している弾性環状部の弧状の部分１１ａ、１１ｂ、１１ｃ、１１ｄが、結束の際の係止部となる。
【００２３】
図１（ｂ）に示した結束用留め具２０について説明すると、ほぼ菱形の弾性環状部２１の内側に図１（ａ）の場合と同様に十字状とした弾性クロス部２２が一体に設けられている。
【００２４】
この結束用留め具２０の場合も、弾性クロス部２２の各枝２２ａ、２２ｂ、２２ｃ、２２ｄの先端に連続している弾性環状部２１の直線状の部分２１ａ、２１ｂ、２１ｃ、２１ｄが結束の際の係止部となる。
【００２５】
以上のような結束用留め具１０、２０は、所定厚さのゴムシートを図１に表れた形状で打ち抜くことによって製造することができる。
【００２６】
或いは、予め割り型を用意し、加熱によって流動状態にした弾性材料を圧入成形することによっても製造することができる。圧入成形で製造する場合、各部の断面形状は自由に設計することができ、断面円形、楕円形としたり、扁平な帯状とすることもできる。
【００２７】
図２は、図１（ａ）の結束用留め具１０を用いて、付録付きの書籍３０を結束した状態を示している。付録は書籍３０の中に挟んだ状態であり、図には表れていない。
【００２８】
図２（ａ）が書籍３０の表表紙３１側を上にして示しており、図２（ｂ）は書籍３０の裏表紙３２側を上にして示している。
【００２９】
書籍３０の一面である裏表紙３２に沿うように結束用留め具１０の弾性クロス部１２をあてがい、次いで、弾性環状部１１の弧状の部分１１ａ、１１ｂ、１１ｃ、１１ｄを書籍３０の四隅各部３３で、隅部３３を越えて表表紙３１側に伸長させて隅部３３に係止させるだけで、簡単に図のような結束が完了する。
【００３０】
一体となった弾性環状部１１と弾性クロス部１２の伸縮力によって、書籍３０はその厚さ方向及び縦横の方向の三次元の方向で弾力的に締め付けられ、結束状態を安定的に維持することができ、しかも隅部３３に係止させた弧状の部分１１ａ、１１ｂ、１１ｃ、１１ｄが多少の外力によって外れるおそれも無い。
【００３１】
また、図２（ａ）に示すように書籍３０の表表紙３１側においては、書籍３０の四隅各部３３に斜交するように弾性環状部１１の弧状の部分１１ａ、１１ｂ、１１ｃ、１１ｄが表れるだけで書籍３０の表表紙３１の中心部分（中央部分）には留め具１０を構成する部材が表れない。これによって、書籍３０の表表紙３１の中心部分（中央部分）に印刷されている表示内容を留め具１０を構成する部材によって遮ることがなくなる。
【００３２】
図３は、図１（ｂ）の結束用留め具２０を用いて段ボール箱４０を結束した状態を示している。
【００３３】
弾性クロス部２２を段ボール箱４０の底面４１に沿うようにあてがい、次いで弾性環状部２１の直線状の部分２１ａ、２１ｂ、２１ｃ、２１ｄをそれぞれ段ボール箱４０の上面４２側に伸長させて、隅部４３に係止させて結束を完了することができる。
【００３４】
図４は、同じく図１（ｂ）の結束用留め具２０を用いて３枚の板５０、５０を重ねて結束している。最下層の板５０の下に弾性クロス部２２を沿わせてあてがい、次いで弾性環状部２１の直線状の部分２１ａ、２１ｂ、２１ｃ、２１ｄを最上層の板５０の上側に伸長させて、隅部５１、５１に係止させて結束を完了することができる。
【００３５】
前記弾性クロス部１２、２２は、書籍３０の裏表紙３２側や、段ボール箱４０の底面４１側や、重ねた板５０の最下層の下に沿わせているが、この弾性クロス部１２、２２を表表紙３１側、段ボール箱４０の上面４２側、或いは重ねた板５０の最上層の上に沿わせた使い方も可能である。
【００３６】
この場合、図５に示したように、弾性クロス部１２の中央に窓部１３を設けるようにしても良い。
【００３７】
さらには、弾性クロス部１２を構成する枝１２ａ、１２ｂ、１２ｃ、１２ｄを装飾された形状の帯で構成することもできる。
【００３８】
図６は、直方体状の箱体６０の上面６１に紙片６２を置き、この状態で、図１（ａ）図示の結束用留め具１０を用いて結束、一体化を行ったものである。このように、糊やテープなどを使用する必要がなく、雑誌・書籍、箱、板体のような直方体状の物の上に薄い紙状の書類やチラシ、パンフレットなどを重ねて結束する場合も本発明の結束用留め具は好適に使用することができる。
【図面の簡単な説明】
【００３９】
【図１】（ａ）はこの発明の第１の実施形態の平面図であり、（ｂ）はこの発明の第２の実施形態の平面図である。
【図２】第１の実施形態で書籍を結束した状態の図で、（ａ）は書籍の表表紙側の斜視図、（ｂ）は書籍の裏表紙側の斜視図である。
【図３】第２の実施形態で段ボール箱を結束した状態の斜視図である。
【図４】第２の実施形態で３枚の板を結束する説明図で、（ａ）は板を重ねる様子を表した斜視図、（ｂ）は重ねた板を結束した状態の斜視図である。
【図５】この発明の第３の実施形態の平面図である。
【図６】この発明の他の実施形態を説明する斜視図である。
【符号の説明】
【００４０】
１０          結束用留め具
１１          弾性環状部
１１ａ、１１ｂ、１１ｃ、１１ｄ          弧状の部分
１２          弾性クロス部
１２ａ、１２ｂ、１２ｃ、１２ｄ          枝
１３          窓部
２０          結束用留め具
２１          弾性環状部
２１ａ、２１ｂ、２１ｃ、２１ｄ          直線状の部分
２２          弾性クロス部
２２ａ、２２ｂ、２２ｃ、２２ｄ          枝
３０          書籍
３１          表表紙
３２          裏表紙
３３          隅部
４０          段ボール箱
４１          底面
４２          上面
４３          隅部
５０          板
５１          隅部
【図１】
2008143593.tif 000003
【図２】
2008143593.tif 000004
【図３】
2008143593.tif 000005
【図４】
2008143593.tif 000006
【図５】
2008143593.tif 000007
【図６】
2008143593.tif 000008